【事件の表示】
　特願２０１６−　　　　８１「遊技台」拒絶査定不服審判事件〔平成２８年　６月２０日出願公開、特開２０１６−１０７１０５〕について、次のとおり審決する。
【結　論】
　本件審判の請求は、成り立たない。
【理　由】
第１　手続の経緯  
　本願は、平成２５年８月２９日に出願した特願２０１３−１７８４００号の一部を平成２８年１月４日に新たな特許出願（特願２０１６−８１号）としたものであって、平成２８年１２月１２日付けで拒絶の理由が通知され、平成２９年２月８日に意見書及び手続補正書が提出されたところ、平成２９年６月２３日付け（発送日：平成２９年６月２７日）で拒絶査定がなされ、それに対して、平成２９年８月２５日に拒絶査定不服審判の請求がなされると同時に手続補正がなされたものである。
第２　平成２９年８月２５日付けの手続補正についての補正却下の決定  
［補正却下の決定の結論］
　平成２９年８月２５日付けの手続補正（以下「本件補正」という。）を却下する。
［理由］  
１　補正の内容
　本件補正は、特許請求の範囲を補正する内容を含んでおり、本件補正により、特許請求の範囲の請求項１は、
「【請求項１】
　図柄変動表示を表示可能な図柄表示手段と、
　装飾図柄変動表示を表示可能な装飾図柄表示手段と、
　第一の保留表示手段と、
　第二の保留表示手段と、
　第三の保留表示手段と、
　前記図柄表示手段の表示制御を実行可能な第一の制御手段と、
　前記装飾図柄表示手段の表示制御を実行可能な第二の制御手段と、
　表示手段と、
を備えた遊技台であって、
　前記第一の制御手段は、前記第一の保留表示手段を制御可能な手段であり、
　前記第二の制御手段は、前記第二の保留表示手段における保留表示（以下、「第二の保留表示」という。）の表示制御を実行可能な手段であり、
　前記第二の制御手段は、前記第三の保留表示手段における保留表示（以下、「第三の保留表示」という。）の表示制御を実行可能な手段であり、
　前記第二の保留表示手段は、前記表示手段によって構成された手段であり、
　前記表示手段は、保留アイコンを表示可能な手段であり、
　前記第二の保留表示とは、前記保留アイコンによる表示のことであり、
　前記保留アイコンとは、先読み予告として表示される場合があるアイコンであり、
　前記表示手段は、変動アイコン表示領域に変動アイコンを表示可能な手段であり、
　前記変動アイコンとは、実行中の前記図柄変動表示における予告として表示される場合があるアイコンであり、
　前記保留アイコンは、前記変動アイコン表示領域に移動されて前記変動アイコンとして表示される場合があるアイコンであり、
　前記第二の保留表示手段は、前記保留アイコンの移動表示によって保留数が減少したことを演出する表示を表示可能な手段であり、
　前記第二の保留表示手段によって報知される保留数は、前記第三の保留表示手段によって報知される保留数と同じ数であり、
　前記第一の保留表示手段によって報知される保留数が変化した場合に、前記第二の保留表示手段によって報知される保留数も変化し、
　前記第一の保留表示手段によって報知される保留数が変化した場合に、前記第三の保留表示手段によって報知される保留数も変化する、
ことを特徴とする遊技台。」（平成２９年２月８日付け手続補正書）
から、
「【請求項１】
Ａ　図柄変動表示を表示可能な図柄表示手段と、
Ｂ　装飾図柄変動表示を表示可能な装飾図柄表示手段と、
Ｃ　第一の保留表示手段と、
Ｄ　第二の保留表示手段と、
Ｅ　第三の保留表示手段と、
Ｆ　前記図柄表示手段の表示制御を実行可能な第一の制御手段と、
Ｇ　前記装飾図柄表示手段の表示制御を実行可能な第二の制御手段と、
Ｈ　表示手段と、
を備えた遊技台であって、
Ｉ　前記第一の制御手段は、前記第一の保留表示手段を制御可能な手段であり、
Ｊ　前記第二の制御手段は、前記第二の保留表示手段における保留表示（以下、「第二の保留表示」という。）の表示制御を実行可能な手段であり、
Ｋ　前記第二の制御手段は、前記第三の保留表示手段における保留表示（以下、「第三の保留表示」という。）の表示制御を実行可能な手段であり、
Ｌ　前記第二の保留表示手段は、前記表示手段によって構成された手段であり、
Ｍ　前記表示手段は、保留アイコンを表示可能な手段であり、
Ｎ　前記第二の保留表示とは、前記保留アイコンによる表示のことであり、
Ｏ　前記保留アイコンとは、先読み予告として表示される場合があるアイコンであり、
Ｐ　前記表示手段は、変動アイコン表示領域に変動アイコンを表示可能な手段であり、
Ｑ　前記変動アイコンとは、実行中の前記図柄変動表示における予告として表示される場合があるアイコンであり、
Ｒ　前記保留アイコンは、前記変動アイコン表示領域に移動されて前記変動アイコンとして表示される場合があるアイコンであり、
Ｓ　前記第二の保留表示手段は、前記保留アイコンの移動表示によって保留数が減少したことを演出する表示を表示可能な手段であり、
Ｔ　前記第二の保留表示手段によって報知される保留数は、前記第三の保留表示手段によって報知される保留数と同じ数であり、
Ｕ　前記第一の保留表示手段によって報知される保留数が変化した場合に、前記第二の保留表示手段によって報知される保留数も変化し、
Ｖ　前記第一の保留表示手段によって報知される保留数が変化した場合に、前記第三の保留表示手段によって報知される保留数も変化
し、
Ｗ　
或る図柄変動表示の表示中に前記変動アイコンが表示されている状態で電断・復電が発生した場合に、該或る図柄変動表示の残りの表示中に該変動アイコンが表示されない、
ことを特徴とする遊技台。」（平成２９年８月２５日付け手続補正書）
に補正された（下線は、補正箇所を明示するために審決にて付した。また、当審においてＡ〜Ｗに分説した。）。
２　補正の適否について
（１）補正の目的
　上記補正は、補正前の請求項１に記載した発明を特定するために必要な事項である「変動アイコン」に関して、「或る図柄変動表示の表示中に前記変動アイコンが表示されている状態で電断・復電が発生した場合に、該或る図柄変動表示の残りの表示中に該変動アイコンが表示されない、」と限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
（２）新規事項の有無について
　本件補正は、請求項１に「或る図柄変動表示の表示中に前記変動アイコンが表示されている状態で電断・復電が発生した場合に、該
或る図柄変動表示の残りの表示中に
　一方、願書に最初に添付した明細書には、「 ＜モードＢ（姫モード）またはモードＣ（爺モード）中の電断・復電の移行例＞  図２９（ａ）は、演出モードがモードＢ（姫モード）のときにパチンコ機１００への電源が遮断され、電源の復帰後にモードＡ（殿モード）に移行した場合の一例であり、」（段落【０２４１】）、「この例では、パチンコ機１００が電断・復電された場合には、電断前の演出モードの種類に関わらず、特図保留表示領域（通常保留表示領域）２０８ｈのみを表示するモードＡ（殿モード）に移行するように構成している。」（段落【０２４２】）と記載されている。
　また、図２９（ａ）には、装飾図柄表示装置に変動アイコンが１つ、保留アイコンが３つ表示されるとともに装飾図柄が変動表示され、第１特図保留ランプが３つ点灯している姫モードから、装飾図柄表示装置の全体が黒く表示される画面となり、その後、装飾図柄表示装置に「復旧中しばらくおまちください」と表示されるとともに
装飾図柄が停止表示され
　上記のとおり、願書に添付した明細書等には、或る図柄変動表示の表示中に前記変動アイコンが表示されている状態で電断・復電が発生した場合に、
或る図柄の停止表示中に
　しかしながら、停止表示の前の
或る図柄変動表示の残りの表示中
　よって、本件補正は、願書に最初に添付した明細書等のすべての記載を総合することにより導かれる技術的事項との関係において新たな技術的事項を導入するものであるから、願書に最初に添付した明細書等に記載した事項の範囲内においてしたものとはいえない。
（３）小活
　以上のことから、本件補正は、特許法第１７条の２第３項の規定に違反するので、同法第１５９条第１項において読み替えて準用する同法第５３条第１項の規定により却下すべきものである。
　
３　独立特許要件について
　本件補正については、上記２で検討したとおりであるが、念のため本件補正が、仮に願書に最初に添付した明細書等に記載した事項の範囲内においてしたものとした場合に、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　新たに引用する特開２０１３−３４７１０号公報（以下「刊行物１」という。）には、図面とともに以下の事項が記載されている。
（１−ａ）「【００２１】
　図３は、遊技盤２００を正面から見た略示正面図である。遊技盤２００には、外レール２０２と内レール２０４とを配設し、遊技球が転動可能な遊技領域１２４を区画形成している。遊技領域１２４の略中央には、演出装置２０６を配設している。演出装置２０６には、略中央に装飾図柄表示装置２０８を配設し、その周囲に、
第１特別図柄表示装置２１２と、第２特別図柄表示装置２１４
第１特別図柄保留ランプ２１８と、第２特別図柄保留ランプ２２０
を配設している
【００２２】
　
装飾図柄表示装置２０８は、装飾図柄ならびに演出に用いる様々な画像を表示するための表示装置
　・・・
【００２４】
　普図保留ランプ２１６は、保留している普図変動遊技（詳細は後述）の数を示すためのランプであり、本実施の形態では、普図変動遊技を所定数（例えば、２つ）まで保留することを可能としている。
特図１保留ランプ２１８および特図２保留ランプ２２０
（１−ｂ）「【００３９】
　まず、
パチンコ機１００の主制御部３００
【００４０】
　また、基本回路３０２には、水晶発振器３１６ａが出力するクロック信号を受信する度に０〜６５５３５の範囲で数値を変動させるハードウェア乱数カウンタとして使用している乱数値生成回路（カウンタ回路）３１８（この回路には２つのカウンタを内蔵しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果を乱数値生成回路３１８および基本回路３０２に出力するためのセンサ回路３２２と、所定の図柄表示装置、例えば
特図１表示装置２１２や特図２表示装置２１４の表示制御を行うための駆動回路３２４
特図１保留ランプ２１８、特図２保留ランプ２２０、
の表示制御を行うための駆動回路３３０
（１−ｃ）「【００４７】
　また、基本回路４０２には、スピーカ１２０およびアンプ（例えば、後述する増幅回路４４２）の制御を行うための音源ＩＣ（サウンド回路）４１６と、各種ランプ４１８（例えば、枠ランプ１２２、前面枠扉１０６の演出用ランプ）の制御を行うための駆動回路４２０と、各種ランプ４４０（例えば、設定操作部ランプ１３８、賞球残数表示部２５０の各セグメント、情報報知用ランプ群２５２の各ランプ）と、演出可動体２２４の駆動制御を行うための駆動回路４２２と、演出可動体２２４の現在位置を検出する演出可動体センサ４２４と、設定操作部１３６の各ボタンの押下を検出する操作部センサ４２６と、出力設定スイッチ１６１と、所定の検出センサ、例えば演出可動体センサ４２４や操作部センサ４２６からの検出信号や出力設定スイッチ１６１からの設定信号を基本回路４０２に出力するセンサ回路４２８と、
装飾図柄表示装置（液晶表示装置）２０８
の制御を行うための第２副制御部５００
【００４８】
　
第２副制御部５００は
第１副制御部４００から送信される液晶表示コマンドに基づいて装飾図柄表示装置２０８の表示制御を行う
（１−ｄ）「【００５８】
　次に、図６（ａ）〜（ｄ）を用いて、パチンコ機１００の特図１表示装置２１２、特図２表示装置２１４、装飾図柄表示装置２０８、普図表示装置２１０が停止表示する特図および普図の種類について説明する。図６（ａ）は特図１の停止図柄態様の一例を示したものであり、図６（ｂ）は特図２の停止図柄態様の一例を示したものである。特図１始動口２３０に球が入球したことを第１始動口センサが検出したことを条件として特図１変動遊技が開始され、特図２始動口２３２に球が入球したことを第２始動口センサが検出したことを条件として特図２変動遊技が開始される。特図１変動遊技が開始されると、
特図１表示装置２１２は、
特図１の変動表示」を行う
特図２表示装置２１４は、
特図２の変動表示」を行う。
（１−ｅ）「【０１３２】
　ステップＳ２３７の次のステップＳ２３９では、低電圧信号がオンであるか否かを監視する。そして、低電圧信号がオンの場合（
電源の遮断を検知した場合
復電時に電断時の状態に復帰するための特定の変数やスタックポインタを復帰データとしてＲＡＭ３０８の所定の領域に退避し、入出力ポートの初期化等の電断処理を行い
（１−ｆ）「【０２４８】
　例えば、
第１副制御部４００は、
主制御部３００から取得した先読み結果
緑に設定し
赤に設定し
保留画像の表示態様を金に設定する
【０２４９】
　また、
第１副制御部４００は、
主制御部３００から取得した先読み結果
緑に設定し
赤に設定し
　また、本実施例では、保留画像の表示態様を変更する例として、色の変更と、文字の付与を示したが、これに限定されるものではなく、例えば保留画像そのものの形状を異なるものに変更しても良い。」
（１−ｇ）「【０２６０】
　また、図２２〜図２４および後述する各図において、
装飾図柄表示装置２０８の演出表示領域２０８ｄのうち下方の横長の領域は、特図１および特図２の保留数を表示する保留表示領域９１０として用いられる
消化中の保留に対応する画像
保留消化画像
保留表示領域９１０および保留消化表示領域９１２において保留画像および保留消化画像を種々の表示態様で表示する
【０２６１】
　
保留表示領域９１０では、保留に対応する保留画像が個別に表示されるようになっている
保留画像として
プレート画像
が用いられる
　・・・
【０２６３】
　図２２（ａ）〜（ｄ）は、特図２の保留が増加したときの保留増加表示の例を示している。図２２（ａ）は、ある特図２変動遊技の変動期間中の状態を示している。図２２（ａ）に示すように、特図１表示装置２１２には直近の特図１変動遊技の停止図柄である第１はずれ図柄が表示されており、特図２表示装置２１４では特図２の変動表示がなされている。特図１保留ランプ２１８は、左から１番目のＬＥＤのみを点灯させて特図１の保留が１つであることを表示しており、特図２保留ランプ２２０は、左から１番目および２番目のＬＥＤを点灯させて特図２の保留が２つであることを表示している。
【０２６４】
　図柄表示領域２０８ａ〜２０８ｃでは、
装飾図柄の変動表示が実行されている
保留消化表示領域９１２には、保留消化画像として、プレート画像８０２ａが表示されている
プレート画像８０２ａの表示態様
予告報知される
【０２６５】
　
保留表示領域９１０には、
プレート画像８０１ａの表示態様
予告報知されている
（１−ｈ）「【０２７６】
　図２４（ｂ）は、次の特図２変動遊技が開始された直後の状態を示している。
図２４（ｂ）に示すように、特図２表示装置２１４では特図２の変動表示が開始される。特図２保留ランプ２２０は、左から３番目のＬＥＤを消灯させて特図２の保留が３つから２つに減少したことを表示している。
【０２７７】
　
保留表示領域９１０では、特図２変動遊技の開始と共に、特図２保留画像（プレート画像８０２ａ、８０２ｂ、８０２ｃ）の数を１つ減少させる保留減少アニメーションの表示が開始される。本例の保留減少アニメーションは、保留表示領域９１０内の保留画像を全体として左方向に移動させるものであり
【０２７８】
　図２４（ｃ）〜（ｅ）に示すように、保留減少アニメーションにおいてプレート画像８０２ａ、８０２ｂ、８０２ｃは、特図２変動遊技の開始からの時間経過とともに全体として左方向に移動する。すなわち、
プレート画像８０２ａは保留表示領域９１０の第１領域から保留消化表示領域９１２に向かって移動し
（１−ｉ）「【０２８０】
　ここで、プレート画像８０２ａに対応する特図２変動遊技の保留は、図２４（ｂ）に示す時点で既に消化されている。したがって、図２４（ａ）に示す時点で特図２保留画像として機能していたプレート画像８０２ａは、対応する特図２変動遊技が開始された図２４（ｂ）に示す時点（例えば、装飾図柄表示装置２０８での表示上では、
プレート画像８０２ａが保留消化表示領域９１２に向かって移動開始し、保留表示領域９１０（第１領域）と保留消化表示領域９１２との間の境界を跨いだ時点）以降には、保留が消化されて抽選が行われたことを報知する保留消化画像として機能する
（１−ｊ）段落【０２７６】には、「図２４（ｂ）に示すように、特図２表示装置２１４では特図２の変動表示が開始される。特図２保留ランプ２２０は、左から３番目のＬＥＤを消灯させて特図２の保留が３つから２つに減少したことを表示している。」と記載され、段落【０２７７】には、「保留表示領域９１０では、特図２変動遊技の開始と共に、特図２保留画像（プレート画像８０２ａ、８０２ｂ、８０２ｃ）の数を１つ減少させる保留減少アニメーションの表示が開始される。」と記載されている。
　また、図２４（ｂ）には、保留表示領域９１０に３つのプレート画像８０２ａ、８０２ｂ、８０２ｃが示されており、図２４（ｄ）には、保留表示領域９１０から１つのプレート画像が減少し、２つのプレート画像８０２ｂ、８０２ｃとなっていることが示されている。
　よって、刊行物１には、
特図２の変動表示が開始されると、特図２保留ランプ２２０は、左から３番目のＬＥＤを消灯させて特図２の保留が３つから２つに減少したことを表示し、保留表示領域９１０では、３つのプレート画像の数を１つ減少させる保留減少アニメーションの表示が開始され
　上記（１−ａ）〜（１−ｉ）の記載事項及び（１−ｊ）の認定事項を総合すると、刊行物１には、次の発明が記載されていると認められる（以下「刊行物１発明」という。）。
「ａ　特図１の変動表示を行う第１特別図柄表示装置２１２と、特図２の変動表示を行う第２特別図柄表示装置２１４と（段落【００２１】、【００５８】）、
ｂ　装飾図柄の変動表示を実行する装飾図柄表示装置２０８と（段落【００２２】、【０２６４】）、
ｃ　第１特別図柄保留ランプ２１８および第２特別図柄保留ランプ２２０と（段落【００２１】）、
ｄ　特図１および特図２の保留数を表示する保留表示領域９１０と（段落【０２６０】）、
ｆ　第１特別図柄表示装置２１２や第２特別図柄表示装置２１４の表示制御を行うための駆動回路３２４を備えた主制御部３００と（段落【００３９】、【００４０】）、
ｇ　装飾図柄表示装置２０８の表示制御を行う第１副制御部４００および第２副制御部５００と（段落【００４７】、【００４８】）、
ｈ　演出に用いる様々な画像を表示する装飾図柄表示装置２０８と（段落【００３９】）、
を備えたパチンコ機１００（段落【００２２】）であって、
ｉ　前記主制御部３００は、第１特別図柄保留ランプ２１８および第２特別図柄保留ランプ２２０の表示制御を行う駆動回路３３０を備えており（段落【００３９】、【００４０】）、
ｊ　第２副制御部５００は、第１副制御部４００から送信される液晶表示コマンドに基づいて装飾図柄表示装置２０８の表示制御を行うものであり（段落【００４８】）、第１副制御部４００は、主制御部３００から取得した先読み結果に応じて、保留表示領域９１０において保留画像の表示態様を緑、赤、金等に設定し（段落【０２４８】、【０２４９】、【０２６０】）、
ｌ　前記保留表示領域９１０は、装飾図柄表示装置２０８の演出表示領域２０８ｄのうち下方の横長の領域であり（段落【０２６０】）、
ｍ　前記装飾図柄表示装置２０８は、保留表示領域９１０において保留画像としてプレート画像を表示するものであり（段落【０２６０】、【０２６１】）、
ｎ　保留表示領域９１０における保留画像は、前記プレート画像が用いられ（段落【０２６１】）、
ｏ　前記プレート画像の表示態様により、予告報知されるものであり（段落【０２６５】）、
ｐ　前記装飾図柄表示装置２０８は、保留消化表示領域９１２において保留消化画像としてプレート画像を表示するものであり（段落【０２６０】、【０２６１】、【０２６４】）、
ｑ　保留消化画像としてのプレート画像は、消化中の保留に対応する画像であり、前記プレート画像の表示態様により、予告報知されるものであり（段落【０２６０】、【０２６４】）、
ｒ　プレート画像が保留表示領域９１０から保留消化表示領域９１２に向かって移動開始し、保留表示領域９１０と保留消化表示領域９１２との間の境界を跨いだ以降には、保留が消化されて抽選が行われたことを報知する保留消化画像として機能し（段落【０２７８】、【０２８０】）、
ｓ　前記保留表示領域９１０では、プレート画像の数を１つ減少させる保留減少アニメーションの表示が開始され、当該保留減少アニメーションは、保留表示領域９１０内の保留画像を全体として左方向に移動させるものであり（段落【０２７７】）、
ｕ　特図２の変動表示が開始されると、特図２保留ランプ２２０は、左から３番目のＬＥＤを消灯させて特図２の保留が３つから２つに減少したことを表示し、保留表示領域９１０では、３つのプレート画像の数を１つ減少させる保留減少アニメーションの表示が開始され（認定事項（１−ｊ））、
ｗ　電源の遮断を検知した場合には、復電時に電断時の状態に復帰するための特定の変数やスタックポインタを復帰データとしてＲＡＭ３０８の所定の領域に退避し、入出力ポートの初期化等の電断処理を行う（段落【０１３２】）、
パチンコ機１００。」
（２）刊行物２
　原査定の拒絶の理由に引用文献２として引用された特開２０１２−２５４３３８号公報（以下「刊行物２」という。）には、図面とともに以下の事項が記載されている。
（２−ａ）「【００１２】
　遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３とを備えている。
　本実施の形態では、遊技者により視認され易い遊技領域１１１の位置に、演出のための各種の画像を表示する画像表示部１１４が配設されている。この
画像表示部１１４は
図柄抽選結果（図柄変動結果）を遊技者に報知するための装飾図柄を表示したり、
演出画像を表示したりする
　また、遊技盤１１０の前面に、各種の演出に用いられる可動役物１１５および盤ランプ１１６を備えている。可動役物１１５は、遊技盤１１０上で動作することにより各種の演出を行い、また、盤ランプ１１６は、発光することで各種の演出を行う。」
（２−ｂ）「【００２０】
　図２は、本実施の形態に係る
パチンコ遊技機１００
　パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。
第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。
【００２１】
　また、表示器１３０は、
第１特別図柄表示器２２１での保留に対応して作動する第１特別図柄保留表示器２１８と、第２特別図柄表示器２２２での保留に対応して作動する第２特別図柄保留表示器２１９
（２−ｃ）「【００２９】
　また、
遊技制御部２００には、
第１特別図柄保留表示器２１８と、
第２特別図柄保留表示器２１９と、
が接続されている。
　さらに、
遊技制御部２００には、
第１特別図柄表示器２２１と、
第２特別図柄表示器２２２と、
が接続されている。
（２−ｄ）「【００３３】
〔画像／音響制御部の構成・機能〕
　画像／音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
　そして、画像／音響制御部３１０は、
演出制御部３００から送られたコマンドに基づいて、画像表示部１１４に表示する画像およびスピーカ１５６から出力する音響を制御する。
　具体的には、画像／音響制御部３１０のＲＯＭ３１２には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１１は、ＲＯＭ３１２に記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ／アイテム表示等のための画像処理と、読み出した音響データを用いた音声処理とを行う。
　そして、画像／音響制御部３１０は、画像処理された画像データにより画像表示部１１４での画面表示を制御する。また、音声処理された音響データによりスピーカ１５６から出力される音響を制御する。」
（２−ｅ）「【００５３】
〔遊技制御部での始動口スイッチ処理〕
　図６は、図５のステップ５０２に示したスイッチ処理のうちの始動口スイッチ処理の内容を示すフローチャートである。
　この始動口スイッチ処理は、第１始動口１２１における入賞に対する処理と、第２始動口１２２における入賞に対する処理とが順次行われる。図６を参照すると、遊技制御部２００の特別図柄抽選部２３１は、まず、第１始動口１２１に遊技球が入賞して第１始動口スイッチ２１１がＯＮとなったか否かを判断する（ステップ６０１）。第１始動口スイッチ２１１がＯＮとなったならば、次に特別図柄抽選部２３１は、
第１始動口１２１の入賞における未抽選分の保留数Ｕ１
【００５４】
　一方、保留数Ｕ１が上限値未満である場合（ステップ６０２でＹｅｓ）、次に特別図柄抽選部２３１は、保留数Ｕ１の値を１加算する（ステップ６０３）。そして、今回の入賞による抽選のための乱数値を取得し、ＲＡＭ２０３に格納する（ステップ６０４）。ここでは、第１始動口１２１の入賞なので、特別図柄抽選のための乱数値が取得される。このとき取得される乱数値は、ステップ５０１の乱数更新処理で更新された値である。そして、この乱数値により特別図柄抽選の結果が確定される。ここにいう乱数値としては、大当たり、小当たりまたはハズレを決定する大当たり乱数値、大当たりの種類（大当たり遊技の終了後における時短遊技状態の有無、確変遊技状態の有無、長当たり、短当たり）を決定する図柄乱数値（大当たり図柄乱数値）、図柄変動における変動パターンを特定するための変動パターン乱数、リーチ有り演出をするか否かを決定するリーチ乱数値、等が含まれる。
【００５５】
　次に、特別図柄抽選部２３１は、特別図柄の変動表示動作が保留されている（すなわち未抽選の）入賞球（保留球）に対して、抽選結果の予告演出を行うための事前判定処理を行う（ステップ６０５）。この事前判定処理は、抽選結果の判定を図柄変動開始時ではなく始動口入賞時に（すなわちステップ６０５において）行うものである。なお、抽選結果の予告演出を行わない遊技機においては、この事前判定処理を省略する場合がある。
　この後、
特別図柄抽選部２３１は、ステップ６０３による保留数Ｕ１の増加を演出制御部３００に通知するための保留数Ｕ１増加コマンドをＲＡＭ２０３にセットし（ステップ６０６）、
ステップ６０３による保留数Ｕ１の増加は第１特別図柄保留表示器２１８にも通知される。
【００５６】
　次に、第２始動口１２２における入賞に対する処理が行われる。図６を参照すると、次に特別図柄抽選部２３１は、第２始動口１２２に遊技球が入賞して第２始動口スイッチ２１２がＯＮとなったか否かを判断する（ステップ６０７）。第２始動口スイッチ２１２がＯＮとなったならば、次に特別図柄抽選部２３１は、
第２始動口１２２の入賞における未抽選分の保留数Ｕ２
【００５７】
　一方、保留数Ｕ２が上限値未満である場合（ステップ６０８でＹｅｓ）、次に特別図柄抽選部２３１は、保留数Ｕ２の値を１加算する（ステップ６０９）。そして、今回の入賞による抽選のための乱数値を取得し、ＲＡＭ２０３に格納する（ステップ６１０）。ここでは、第２始動口１２２の入賞なので、上記のステップ６０４と同様に、特別図柄抽選のための乱数値（大当たり乱数、大当たり図柄乱数、リーチ乱数、変動パターン乱数など）が取得される。このとき取得される乱数値は、ステップ５０１の乱数更新処理で更新された値である。そして、この乱数値により特別図柄抽選の結果が確定される。
【００５８】
　次に、特別図柄抽選部２３１は、
特別図柄の変動表示動作が保留されている（すなわち未抽選の）入賞球（保留球）に対して、抽選結果の予告演出を行う
  この後、
特別図柄抽選部２３１は、ステップ６０９による保留数Ｕ２の増加を演出制御部３００に通知するための保留数Ｕ２増加コマンドをＲＡＭ２０３にセットし（ステップ６１２）、
ステップ６０９による保留数Ｕ２の増加は第２特別図柄保留表示器２１９にも通知される。
（２−ｆ）「【０１２８】
　ところで、
演出制御部３００は、図６のステップ６０６、６１２で送られた保留数増加コマンドをステップ１８１１で受信すると、ステップ１８１３で保留数コマンドを画像／音響制御部３１０等に送信する。これにより、画像表示部１１４では、保留数表示が行われる。
　一方、演出制御部３００は、図８のステップ８１１で送られた変動開始コマンド、図１１のステップ１１１８で送られたオープニングコマンド、図１４のステップ１４１３で送られたエンディングコマンドをステップ１８１１で受信すると、ステップ１８１３で、それぞれ、変動演出開始コマンド、当たり演出開始コマンド、エンディング演出開始コマンドを画像／音響制御部３１０等に送信する。これにより、画像表示部１１４では、変動演出、当たり演出、エンディング演出が行われる。これらの演出では、可動役物１１５が動作することがあり、可動役物１１５は、その動作パターンによっては、画像表示部１１４上の保留数表示を隠してしまう。
　そこで、本実施の形態では、保留数表示の少なくとも一部が可動役物１１５で隠されるのに備えて、可動役物１１５で隠されない場所に別の保留数表示を用意しておくことで、遊技者が保留数を引き続き認識できるようにする。以下では、可動役物１１５で隠される可能性のある場所に設けられた保留数表示を「擬似保留数表示」と称し、可動役物１１５で隠されない場所に用意された別の保留数表示を「本保留数表示」と称する。
【０１２９】
　本実施の形態における画像表示部１１４の表示について具体的に説明する。
　図１８−２は、画像表示部１１４上の保留数表示と可動役物１１５との位置関係を示した図である。
　可動役物１１５が画像表示部１１４の右側に静止している時点では、図１８−２（ａ）に示すように、
画像表示部１１４の中央下部に、保留数Ｕ１（図６参照）を表す擬似保留数表示３５１と、保留数Ｕ２（図６参照）を表す擬似保留数表示３５２とが表示されている。
擬似保留数表示３５１に２つの保留表示を含めており、
擬似保留数表示３５２に３つの保留表示を含めている。
【０１３０】
　また、この時点で、可動役物１１５が擬似保留数表示３５１、３５２の少なくとも一部を隠すように動作したときに備え、
画像表示部１１４の左上部に、保留数Ｕ１を表す本保留数表示３６１と、保留数Ｕ２を表す本保留数表示３６２とが表示されている
【０１３１】
　本実施の形態では、擬似保留数表示３５１、３５２および本保留数表示３６１、３６２の表示を、擬似保留数表示３５１、３５２の各々と本保留数表示３６１、３６２の各々とが関連していることを示す態様で行う。図示の例では、擬似保留数表示３５１および本保留数表示３６１の背景を白色とし、擬似保留数表示３５２および本保留数表示３６２の背景を黒色とすることで、擬似保留数表示３５１と本保留数表示３６１とが関連し、擬似保留数表示３５２と本保留数表示３６２とが関連していることが分かるようになっている。
　また、図からは明らかでないが、本実施の形態では、
保留数の増減に応じて、擬似保留数表示３５１、３５２および本保留数表示３６１、３６２を、擬似保留数表示３５１、３５２の各々と本保留数表示３６１、３６２の各々とが関連していることを示す態様で変化させる。
保留数Ｕ１が１増えると、擬似保留数表示３５１内の保留表示を１増加させ、これと同期して、本保留数表示３６１の数字を１カウントアップする
保留数Ｕ２が１増えると、擬似保留数表示３５２内の保留表示を１増加させ、これと同期して、本保留数表示３６２の数字を１カウントアップする
（２−ｇ）「【０１３９】
　図１９−２は、図１９−１の保留数加算処理（ステップ１９０２）の内容を示すフローチャートである。
　この保留数加算処理において、演出制御部３００は、まず、ＲＡＭ３０３に保持されている保留数の値を１加算する（ステップ１９２１）。保留数増加コマンドが図６のステップ６０６で送られた
保留数Ｕ１増加コマンドであれば、擬似保留数表示３５１および本保留数表示３６１に対応する保留数の値を１加算し、保留数増加コマンドが図６のステップ６１２で送られた保留数Ｕ２増加コマンドであれば、擬似保留数表示３５２および本保留数表示３６２に対応する保留数の値を１加算する
（２−ｈ）段落【０１２８】には、「演出制御部３００は、図６のステップ６０６、６１２で送られた保留数増加コマンドをステップ１８１１で受信すると、ステップ１８１３で保留数コマンドを画像／音響制御部３１０等に送信する。これにより、画像表示部１１４では、保留数表示が行われる。」と記載され、段落【０１２９】には、「画像表示部１１４の中央下部に、保留数Ｕ１（図６参照）を表す擬似保留数表示３５１と、保留数Ｕ２（図６参照）を表す擬似保留数表示３５２とが表示されている。」と記載されている。
　よって、刊行物２には、
演出制御部３００は、擬似保留数表示３５１と、擬似保留数表示３５２の保留数表示を行うもの
（２−ｉ）上記（２−ｈ）の記載に加えて、段落【０１３０】には、「画像表示部１１４の左上部に、保留数Ｕ１を表す本保留数表示３６１と、保留数Ｕ２を表す本保留数表示３６２とが表示されている。」と記載されている。
　よって、刊行物２には、
演出制御部３００は、本保留数表示３６１と、本保留数表示３６２の保留数表示を行うもの
（２−ｊ）段落【０１２９】には、「画像表示部１１４の中央下部に、保留数Ｕ１（図６参照）を表す擬似保留数表示３５１と、保留数Ｕ２（図６参照）を表す擬似保留数表示３５２とが表示されている。・・・擬似保留数表示３５１に２つの保留表示を含めており、・・・擬似保留数表示３５２に３つの保留表示を含めている。なお、ここでは、保留表示を白丸で表示したが、他の図形で表示してもよい。あるいは、保留数を数字で表示してもよい。」と記載されている。
　よって、刊行物２には、
画像表示部１１４は、保留表示の図形を表示してもよい
（２−ｋ）同様に、段落【０１２９】の記載から、刊行物２には、
擬似保留数表示３５１と、擬似保留数表示３５２の保留数表示は、保留表示の図形の表示である
（２−ｌ）段落【０１２９】には、保留表示を図形の表示とすることが記載されており、段落【００５８】には「特別図柄の変動表示動作が保留されている（すなわち未抽選の）入賞球（保留球）に対して、抽選結果の予告演出を行う」と記載されている。
　よって、刊行物２には、
保留表示の図形は、抽選結果の予告演出を行う場合がある
（２−ｍ）同様に、段落【０１２９】には、保留表示を図形の表示とすることが記載されており、段落【０１３１】には、「保留数の増減に応じて、擬似保留数表示３５１、３５２および本保留数表示３６１、３６２を、擬似保留数表示３５１、３５２の各々と本保留数表示３６１、３６２の各々とが関連していることを示す態様で変化させる。」と記載されている。
　よって、刊行物２には、
擬似保留数表示３５１と、擬似保留数表示３５２の保留数表示は、保留数の増減に応じて保留表示の図柄態様を変化させる
（２−ｎ）段落【００５５】には、「特別図柄抽選部２３１は、ステップ６０３による保留数Ｕ１の増加を演出制御部３００に通知するための保留数Ｕ１増加コマンドをＲＡＭ２０３にセットし（ステップ６０６）、・・・また、ステップ６０３による保留数Ｕ１の増加は第１特別図柄保留表示器２１８にも通知される。」と記載され、段落【００５８】には、「特別図柄抽選部２３１は、ステップ６０９による保留数Ｕ２の増加を演出制御部３００に通知するための保留数Ｕ２増加コマンドをＲＡＭ２０３にセットし（ステップ６１２）、・・・ステップ６０９による保留数Ｕ２の増加は第２特別図柄保留表示器２１９にも通知される。」と記載されている。
　また、段落【０１３９】には、「保留数Ｕ１増加コマンドであれば、擬似保留数表示３５１および本保留数表示３６１に対応する保留数の値を１加算し、保留数増加コマンドが図６のステップ６１２で送られた保留数Ｕ２増加コマンドであれば、擬似保留数表示３５２および本保留数表示３６２に対応する保留数の値を１加算する」と記載されている。
　よって、刊行物２には、
保留数Ｕ１の増加が第１特別図柄保留表示器２１８に通知されるとともに擬似保留数表示３５１に対応する保留数の値を１加算し、保留数Ｕ２の増加が第２特別図柄保留表示器２１９に通知されるとともに擬似保留数表示３５２に対応する保留数の値を１加算
（２−ｏ）また、同様に、段落【００５５】、【００５８】、【０１３９】の記載を「本保留数表示３６１」、「本保留数表示３６２」について整理すると、刊行物２には、
保留数Ｕ１の増加が第１特別図柄保留表示器２１８に通知されるとともに本保留数表示３６１に対応する保留数の値を１加算し、保留数Ｕ２の増加が第２特別図柄保留表示器２１９に通知されるとともに本保留数表示３６２に対応する保留数の値を１加算
　
　上記（２−ａ）〜（２−ｇ）の記載事項及び上記（２−ｈ）〜（２−ｏ）の認定事項を総合すると、刊行物２には、次の発明が記載されていると認められる（以下「刊行物２発明」という。）。
「ａ　第１始動口１２１の入賞による特別図柄を変動表示しその抽選結果を表示する第１特別図柄表示器２２１と、第２始動口１２２の入賞による特別図柄を変動表示しその抽選結果を表示する第２特別図柄表示器２２２と（段落【００２０】）、
ｂ　図柄抽選結果を遊技者に報知するための装飾図柄を表示する画像表示部１１４と（段落【００１２】）、
ｃ　第１特別図柄表示器２２１での保留に対応して作動する第１特別図柄保留表示器２１８と、第２特別図柄表示器２２２での保留に対応して作動する第２特別図柄保留表示器２１９と（段落【００２１】）、
ｄ　第１始動口１２１の入賞における未抽選分の保留数Ｕ１を表す擬似保留数表示３５１と、第１始動口１２２の入賞における未抽選分の保留数Ｕ２を表す擬似保留数表示３５２と（段落【００５３】、【００５６】、【０１２９】）、
ｅ　保留数Ｕ１を表す本保留数表示３６１と、保留数Ｕ２を表す本保留数表示３６２と（段落【０１３０】）、
ｆ　第１特別図柄表示器２２１と、第２特別図柄表示器２２２と、が接続されている遊技制御部２００と（段落【００２９】）、
ｇ　画像表示部１１４に表示する画像およびスピーカ１５６から出力する音響を制御する演出制御部３００と（段落【００３３】）、
ｈ　演出画像を表示する画像表示部１１４と（段落【００１２】）、
を備えたパチンコ遊技機１００であって（段落【００２０】）、
ｉ　前記遊技制御部２００には、第１特別図柄保留表示器２１８と、第２特別図柄保留表示器２１９とが接続され（段落【００２９】）、
ｊ　前記演出制御部３００は、擬似保留数表示３５１と、擬似保留数表示３５２の保留数表示を行うものであり（認定事項（２−ｈ））、
ｋ　前記演出制御部３００は、本保留数表示３６１と、本保留数表示３６２の保留数表示を行うものであり（認定事項（２−ｉ））、
ｌ　擬似保留数表示３５１と擬似保留数表示３５２は、画像表示部１１４の中央下部に表示されるものであり（段落【０１２９】）、
ｍ　前記画像表示部１１４は、保留表示の図形を表示してもよく（認定事項（２−ｊ））、
ｎ　擬似保留数表示３５１と、擬似保留数表示３５２の保留数表示は、保留表示の図形の表示であり（認定事項（２−ｋ））、
ｏ　前記保留表示の図形は、抽選結果の予告演出を行う場合があり（認定事項（２−ｌ））、
ｓ　擬似保留数表示３５１と、擬似保留数表示３５２の保留数表示は、保留数の増減に応じて保留表示の図柄態様を変化させるものであり（認定事項（２−ｍ））、
ｔ　擬似保留数表示３５１、３５２の各々と本保留数表示３６１、３６２の各々とが関連していることを示す態様で変化させ、保留数Ｕ１が１増えると、擬似保留数表示３５１内の保留表示を１増加させ、これと同期して、本保留数表示３６１の数字を１カウントアップさせ、保留数Ｕ２が１増えると、擬似保留数表示３５２内の保留表示を１増加させ、これと同期して、本保留数表示３６２の数字を１カウントアップさせ（段落【０１３１】）、
ｕ　保留数Ｕ１の増加が第１特別図柄保留表示器２１８に通知されるとともに擬似保留数表示３５１に対応する保留数の値を１加算し、保留数Ｕ２の増加が第２特別図柄保留表示器２１９に通知されるとともに擬似保留数表示３５２に対応する保留数の値を１加算し（認定事項（２−ｎ））、
ｖ　保留数Ｕ１の増加が第１特別図柄保留表示器２１８に通知されるとともに本保留数表示３６１に対応する保留数の値を１加算し、保留数Ｕ２の増加が第２特別図柄保留表示器２１９に通知されるとともに本保留数表示３６２に対応する保留数の値を１加算するパチンコ遊技機１００（認定事項（２−ｏ））。」
（３）刊行物３
　前置報告書において引用された特開２００７−２９６１３０号公報（以下「刊行物３」という。）には、図面とともに以下の事項が記載されている。
（３−ａ）「【発明が解決しようとする課題】
【０００８】
　ここで、特許文献１に記載された遊技機と特許文献２に記載された遊技機とを組み合わせた場合、停電復旧時において、遊技制御手段は複数の識別情報（図柄）に対する数多くのコマンド（停電復旧の表示を指定するコマンド、可変表示中の左中右それぞれの特別図柄の停止図柄を指定するコマンド、特別図柄の停止を指示するコマンド）を表示制御手段に対して送信しなければならないことになる。従って、遊技制御手段においてデータ容量が増加し、制御負担が増大してしまうという問題がある。
【０００９】
　そこで、本発明は、可変表示装置で複数の識別情報の可変表示を行う
遊技機
（３−ｂ）「【０５１０】
　
このときの表示状態は、
背景図柄の保留記憶数も２個である
【０５１１】
　図７３に示すように、
第１特別図柄および第２特別図柄の変動の途中で電源断が発生すると、電源断の発生が検出され、電力供給停止時処理が実行される
その後、電力供給が再開され、所定の復旧条件が成立したときには
【０５１２】
　演出制御用マイクロコンピュータ１００は、停電復旧表示指定コマンドを受信すると（ステップＳ５３０のＹ）、可変表示装置９の背景図柄表示領域９ａに停電復旧中画面を表示する（ステップＳ５３１）。このときの表示状態は、図７４（ｂ）に示すように、
第１飾り図柄および第２飾り図柄が変動表示され、背景図柄表示領域９ａに「停電復旧中」の文字が表示されている状態である
　・・・
【０５１６】
　このときの表示状態は、図７４（ｅ）に示すように、背景図柄表示領域９ａにはずれ図柄「３５１」が表示され、第１飾り図柄（および第１特別図柄）の停止図柄としてはずれ図柄「２」が表示され、第２飾り図柄（および第２特別図柄）の停止図柄としてはずれ図柄「４」が表示されている状態である。なお、図７４に示す例では、背景図柄の停止図柄がはずれ図柄であるので、変動開始待ちの状態に移行される。
【０５１７】
　第２特別図柄が変動開始可能な状態になると、第２特別図柄の保留記憶にもとづいて、遊技制御用マイクロコンピュータ５６０から演出制御用マイクロコンピュータ１００に対して、背景指定コマンド、第２表示結果指定コマンド、第２変動パターンコマンド、および第２始動入賞記憶指定コマンドが送信される（第２特別図柄プロセス処理におけるステップＳ５４、Ｓ８４、Ｓ１１４に相当する処理、ステップＳ４１５）。そして、第２特別図柄の変動が開始されるとともに、第２特別図柄の変動と同期して第２飾り図柄および背景図柄の変動も開始される。このときの表示状態が図７４（ｆ）に示す状態である。
【０５１８】
　図７４（ｂ）〜（ｅ）に示すように、
停電復旧後に直ちにメモリ表示領域９ｄにおいて背景図柄の保留記憶が表示されず、
停電復旧後における背景図柄の保留記憶数の更新タイミングになったときに背景図柄の保留記憶が表示される
【０５１９】
　・・・　
このような構成によれば、停電復旧時における遊技制御用マイクロコンピュータ５６０から演出制御用マイクロコンピュータ１００に送信されるコマンド数を削減し、遊技制御用マイクロコンピュータ５６０の制御負担を軽減することができる。
　上記（３−ａ）、（３−ｂ）の記載事項を総合すると、刊行物３には、次の事項が記載されているといえる（以下「刊行物３記載の事項」という。）。
「背景図柄の保留記憶数が２個表示されている状態で、第１特別図柄および第２特別図柄の変動の途中で電源断が発生し、その後、電力供給が再開され、所定の復旧条件が成立したときには、第１飾り図柄および第２飾り図柄が変動表示され、背景図柄表示領域９ａに「停電復旧中」の文字が表示されている状態となり、停電復旧後に直ちにメモリ表示領域９ｄにおいて背景図柄の保留記憶が表示されない遊技機。」
（４）対比
　本願補正発明と刊行物１発明とを対比する（下記の見出しの（ａ）〜（ｕ）は、刊行物１発明の構成ａ〜ｕに対応している。）。
（ａ）刊行物１発明の「第１特別図柄表示装置２１２」及び「第２特別図柄表示装置２１４」は、本願補正発明の「図柄表示手段」に相当する。
　よって、刊行物１発明の「特図１の変動表示を行う第１特別図柄表示装置２１２と、特図２の変動表示を行う第２特別図柄表示装置２１４」は、本願補正発明の「図柄変動表示を表示可能な図柄表示手段」に相当する。
（ｂ）刊行物１発明の「装飾図柄の変動表示を実行する装飾図柄表示装置２０８」は、本願補正発明の「装飾図柄変動表示を表示可能な装飾図柄表示手段」に相当する。
（ｃ）刊行物１発明の「第１特別図柄保留ランプ２１８および第２特別図柄保留ランプ２２０」は、本願補正発明の「第一の保留表示手段」に相当する。
（ｄ）刊行物１発明の「特図１および特図２の保留数を表示する保留表示領域９１０」は、本願補正発明の「第二の保留表示手段」に相当する。
（ｆ）刊行物１発明の「主制御部３００」は、本願補正発明の「第一の制御手段」に相当する。
　よって、刊行物１発明の「第１特別図柄表示装置２１２や第２特別図柄表示装置２１４の表示制御を行うための駆動回路３２４を備えた主制御部３００」は、本願補正発明の「前記図柄表示手段の表示制御を実行可能な第一の制御手段」に相当する。
（ｇ）刊行物１発明の「第１副制御部４００および第２副制御部５００」は、本願補正発明の「第二の制御手段」に相当する。
　よって、刊行物１発明の「装飾図柄表示装置２０８の表示制御を行う第１副制御部４００および第２副制御部５００」は、本願補正発明の「前記装飾図柄表示手段の表示制御を実行可能な第二の制御手段」に相当する。
（ｈ）刊行物１発明の「演出に用いる様々な画像を表示する装飾図柄表示装置２０８」は、本願補正発明の「表示手段」に相当する。
　また、刊行物１発明の「パチンコ機１００」は、本願補正発明の「遊技台」に相当する。
（ｉ）刊行物１発明の「主制御部３００」が、「第１特別図柄保留ランプ２１８および第２特別図柄保留ランプ２２０の表示制御を行う駆動回路３３０を備えて」いることは、
「主制御部３００」が、「第１特別図柄保留ランプ２１８および第２特別図柄保留ランプ２２０」を制御可能な手段を備えることを意味することは明らかである。
　よって、刊行物１発明の「前記主制御部３００は、第１特別図柄保留ランプ２１８および第２特別図柄保留ランプ２２０の表示制御を行う駆動回路３３０を備えて」いる点は、本願補正発明の「前記第一の制御手段は、前記第一の保留表示手段を制御可能な手段であ」る点に相当する。
（ｊ）刊行物１発明の「保留表示領域９１０」における「保留画像」は、本願補正発明の「第二の保留表示」に相当する。
　そして、刊行物１発明における「保留表示領域９１０において保留画像の表示態様」は、「第１副制御部４００で設定され」「第１副制御部４００から送信される液晶表示コマンドに基づいて」「第２副制御部５００」で表示制御を行うものであるといえる。
　また、上記（ｇ）で検討したとおり、刊行物１発明の「第１副制御部４００および第２副制御部５００」は、本願補正発明の「第二の制御手段」に相当するものである。
　よって、刊行物１発明の「第２副制御部５００は、第１副制御部４００から送信される液晶表示コマンドに基づいて装飾図柄表示装置２０８の表示制御を行うものであり、第１副制御部４００は、主制御部３００から取得した先読み結果に応じて、保留表示領域９１０において保留画像の表示態様を緑、赤、金等に設定」する点は、本願補正発明の「前記第二の制御手段は、前記第二の保留表示の表示制御を実行可能な手段であ」る点に相当する。
（ｌ）刊行物１発明の「前記保留表示領域９１０は、装飾図柄表示装置２０８の演出表示領域２０８ｄのうち下方の横長の領域であ」る点は、本願補正発明の「前記第二の保留表示手段は、前記表示手段によって構成された手段であ」る点に相当する。
（ｍ）刊行物１発明の「保留画像として」の「プレート画像」は、本願補正発明の「保留アイコン」に相当する。
　よって、刊行物１発明の「前記装飾図柄表示装置２０８は、保留表示領域９１０において保留画像としてプレート画像を表示するもの」は、本願補正発明の「前記表示手段は、保留アイコンを表示可能な手段」に相当する。
（ｎ）上記（ｊ）、（ｍ）における検討を踏まえると、刊行物１発明の「保留表示領域９１０における保留画像は、前記プレート画像が用いられ」る点は、本願補正発明の「前記第二の保留表示とは、前記保留アイコンによる表示のことであ」る点に相当する。
（ｏ）刊行物１発明の「予告報知」は、本願補正発明の「先読み予告」に相当する。
　よって、刊行物１発明の「前記プレート画像の表示態様により、予告報知されるものであ」る点は、本願補正発明の「前記保留アイコンとは、先読み予告として表示される場合があるアイコンであ」る点に相当する。
（ｐ）刊行物１発明の「保留消化画像」としての「プレート画像」は、本願補正発明の「変動アイコン」に相当する。また、刊行物１発明の「保留消化表示領域９１２」は、本願補正発明の「変動アイコン表示領域」に相当する。
　よって、刊行物１発明の「前記装飾図柄表示装置２０８は、保留消化表示領域９１２において保留消化画像としてプレート画像を表示するものであ」る点は、本願補正発明の「前記表示手段は、変動アイコン表示領域に変動アイコンを表示可能な手段であ」る点に相当する。
（ｑ）刊行物１発明の「消化中」は、本願補正発明の「実行中」に相当する。
　よって、刊行物１発明の「保留消化画像としてのプレート画像は、消化中の保留に対応する画像であり、前記プレート画像の表示態様により、予告報知されるものであ」る点は、本願補正発明の「前記変動アイコンとは、実行中の前記図柄変動表示における予告として表示される場合があるアイコンであ」る点に相当する。
（ｒ）上記（ｍ）、（ｐ）における検討を踏まえると、刊行物１発明の「プレート画像が保留表示領域９１０から保留消化表示領域９１２に向かって移動開始し、保留表示領域９１０と保留消化表示領域９１２との間の境界を跨いだ以降には、保留が消化されて抽選が行われたことを報知する保留消化画像として機能」する点は、本願補正発明の「前記保留アイコンは、前記変動アイコン表示領域に移動されて前記変動アイコンとして表示される場合があるアイコンであ」る点に相当する。
（ｓ）刊行物１発明において、「保留減少アニメーション」は、プレート画像の数を１つ減少させるものであるとともに、保留表示領域９１０内の保留画像を全体として左方向に移動させるものであるから、本願補正発明の「保留アイコンの移動表示によって保留数が減少したことを演出する表示」に相当する。
　よって、刊行物１発明の「前記保留表示領域９１０では、プレート画像の数を１つ減少させる保留減少アニメーションの表示が開始され、当該保留減少アニメーションは、保留表示領域９１０内の保留画像を全体として左方向に移動させるものであ」る点は、本願補正発明の「前記第二の保留表示手段は、前記保留アイコンの移動表示によって保留数が減少したことを演出する表示を表示可能な手段であ」る点に相当する。
（ｕ）刊行物１発明の「特図２保留ランプ２２０は、左から３番目のＬＥＤを消灯させて特図２の保留が３つから２つに減少」する点は、本願補正発明の「第一の保留表示手段によって報知される保留数が変化」する点に相当し、刊行物１発明の「保留表示領域９１０では、３つのプレート画像の数を１つ減少させる」点は、本願補正発明の「第二の保留表示手段によって報知される保留数も変化」する点に相当する。
　よって、刊行物１発明の「特図２の変動表示が開始されると、特図２保留ランプ２２０は、左から３番目のＬＥＤを消灯させて特図２の保留が３つから２つに減少したことを表示し、保留表示領域９１０では、３つのプレート画像の数を１つ減少させる保留減少アニメーションの表示が開始され」る点は、本願補正発明の「前記第一の保留表示手段によって報知される保留数が変化した場合に、前記第二の保留表示手段によって報知される保留数も変化」する点に相当する。
　したがって、本願補正発明と刊行物１発明とは、
「Ａ　図柄変動表示を表示可能な図柄表示手段と、
Ｂ　装飾図柄変動表示を表示可能な装飾図柄表示手段と、
Ｃ　第一の保留表示手段と、
Ｄ　第二の保留表示手段と、
Ｆ　前記図柄表示手段の表示制御を実行可能な第一の制御手段と、
Ｇ　前記装飾図柄表示手段の表示制御を実行可能な第二の制御手段と、
Ｈ　表示手段と、
を備えた遊技台であって、
Ｉ　前記第一の制御手段は、前記第一の保留表示手段を制御可能な手段であり、
Ｊ　前記第二の制御手段は、前記第二の保留表示の表示制御を実行可能な手段であり、
Ｌ　前記第二の保留表示手段は、前記表示手段によって構成された手段であり、
Ｍ　前記表示手段は、保留アイコンを表示可能な手段であり、
Ｎ　前記第二の保留表示とは、前記保留アイコンによる表示のことであり、
Ｏ　前記保留アイコンとは、先読み予告として表示される場合があるアイコンであり、
Ｐ　前記表示手段は、変動アイコン表示領域に変動アイコンを表示可能な手段であり、
Ｑ　前記変動アイコンとは、実行中の前記図柄変動表示における予告として表示される場合があるアイコンであり、
Ｒ　前記保留アイコンは、前記変動アイコン表示領域に移動されて前記変動アイコンとして表示される場合があるアイコンであり、
Ｓ　前記第二の保留表示手段は、前記保留アイコンの移動表示によって保留数が減少したことを演出する表示を表示可能な手段であり、
Ｕ　前記第一の保留表示手段によって報知される保留数が変化した場合に、前記第二の保留表示手段によって報知される保留数も変化する、
ことを特徴とする遊技台。」
である点で一致し、以下の点で相違する。
［相違点１］
　本願補正発明は、「第三の保留表示手段」を備え、「前記第二の制御手段は、第三の保留表示の表示制御を実行可能な手段であり」、「前記第二の保留表示手段によって報知される保留数は、前記第三の保留表示手段によって報知される保留数と同じ数であり」、「前記第一の保留表示手段によって報知される保留数が変化した場合に、前記第三の保留表示手段によって報知される保留数も変化」するのに対し、刊行物１発明は、そのような構成を有していない点（構成Ｅ、Ｋ、Ｔ、Ｖ）。
［相違点２］
　本願補正発明は、「或る図柄変動表示の表示中に前記変動アイコンが表示されている状態で電断・復電が発生した場合に、該或る図柄変動表示の残りの表示中に該変動アイコンが表示されない」のに対して、刊行物１発明は、そのように特定されていない点（構成Ｗ）。
（５）判断
ア　上記相違点１について検討する。
　刊行物２発明は以下の構成を含むものである。　
「ｃ　第１特別図柄表示器２２１での保留に対応して作動する第１特別図柄保留表示器２１８と、第２特別図柄表示器２２２での保留に対応して作動する第２特別図柄保留表示器２１９と、
ｄ　第１始動口１２１の入賞における未抽選分の保留数Ｕ１を表す擬似保留数表示３５１と、第１始動口１２２の入賞における未抽選分の保留数Ｕ２を表す擬似保留数表示３５２と、
ｅ　保留数Ｕ１を表す本保留数表示３６１と、保留数Ｕ２を表す本保留数表示３６２と、
ｇ　画像表示部１１４に表示する画像およびスピーカ１５６から出力する音響を制御する演出制御部３００と、
を備えたパチンコ遊技機１００であって、
ｋ　前記演出制御部３００は、本保留数表示３６１と、本保留数表示３６２の保留数表示を行うものであり、
ｔ　擬似保留数表示３５１、３５２の各々と本保留数表示３６１、３６２の各々とが関連していることを示す態様で変化させ、保留数Ｕ１が１増えると、擬似保留数表示３５１内の保留表示を１増加させ、これと同期して、本保留数表示３６１の数字を１カウントアップさせ、保留数Ｕ２が１増えると、擬似保留数表示３５２内の保留表示を１増加させ、これと同期して、本保留数表示３６２の数字を１カウントアップさせ、
ｖ　保留数Ｕ１の増加が第１特別図柄保留表示器２１８に通知されるとともに本保留数表示３６１に対応する保留数の値を１加算し、保留数Ｕ２の増加が第２特別図柄保留表示器２１９に通知されるとともに本保留数表示３６２に対応する保留数の値を１加算するパチンコ遊技機１００。」
　上記刊行物２発明において、構成ｃの「第１特別図柄保留表示器２１８」及び「第２特別図柄保留表示器２１９」、構成ｄの「擬似保留数表示３５１」及び「擬似保留数表示３５２」、構成ｅの「本保留数表示３６１」及び「本保留数表示３６２」は、それぞれ、本願補正発明の「第一の保留表示手段」、「第二の保留表示手段」、「第三の保留表示手段」に対応する構成といえる。
　また、刊行物２発明の構成ｋの「演出制御部３００」は、本願補正発明の「第二の制御手段」に対応する構成といえる。
　そして、刊行物２発明において、構成ｔの「保留数Ｕ１が１増えると、擬似保留数表示３５１（第二の保留表示手段）内の保留表示を１増加させ、これと同期して、本保留数表示３６１（第三の保留表示手段）の数字を１カウントアップさせ」ることは、擬似保留数表示３５１（第二の保留表示手段）と本保留数表示３６１（第三の保留表示手段）の保留表示が同じ数であることを意味している。また、擬似保留数表示３５２（第二の保留表示手段）と本保留数表示３６２（第三の保留表示手段）についても同様である。
　さらに、刊行物２発明において、構成ｖの「保留数Ｕ１の増加が第１特別図柄保留表示器２１８（第一の保留表示手段）に通知されるとともに本保留数表示３６１（第三の保留表示手段）に対応する保留数の値を１加算」することは、第１特別図柄保留表示器２１８（第一の保留表示手段）の保留数が変化したときに、本保留数表示３６１（第三の保留表示手段）の保留数も変化することを意味している。また、第２特別図柄保留表示器２１９（第一の保留表示手段）と本保留数表示３６２（第三の保留表示手段）についても同様である。
　そうすると、刊行物２発明は、本願補正発明の構成Ｅ、Ｋ、Ｔ、Ｖに対応する構成を有しているといえる。
　刊行物１発明と、刊行物２発明とは、ともに第一の保留表示手段及び第二の保留表示手段を有する遊技機である点で共通するものである。
　よって、刊行物１発明に刊行物２発明を適用して「第三の保留表示手段」を備えるように構成し、上記相違点１に係る本願補正発明の構成とすることは、当業者が容易になし得たものである。
イ　上記相違点２について検討する。
　刊行物３記載の事項は、次のとおりである。
「背景図柄の保留記憶数が２個表示されている状態で、第１特別図柄および第２特別図柄の変動の途中で電源断が発生し、その後、電力供給が再開され、所定の復旧条件が成立したときには、第１飾り図柄および第２飾り図柄が変動表示され、背景図柄表示領域９ａに「停電復旧中」の文字が表示されている状態となり、停電復旧後に直ちにメモリ表示領域９ｄにおいて背景図柄の保留記憶が表示されない遊技機。」
　上記刊行物３記載の事項において、背景図柄に表示されている「保留記憶」は、本願補正発明の「第二の保留表示手段」の「保留アイコン」に対応する構成であるから、上記刊行物３記載の事項の内容を本願補正発明の用語を用いて表現すると「或る図柄変動表示の表示中に前記保留アイコンが表示されている状態で電断・復電が発生した場合に、該或る図柄変動表示の残りの表示中に該保留アイコンが表示されない」ことになる。
　一方、刊行物１発明は、「保留画像としてのプレート画像」（保留アイコン）と「保留消化画像としてのプレート画像」（変動アイコン）を有しており、両者はともにプレート画像であり、プレート画像は保留表示領域９１０から保留消化表示領域９１２に向かって移動するものであるから、刊行物１発明において「保留画像としてのプレート画像」（保留アイコン）と「保留消化画像としてのプレート画像」（変動アイコン）とは、一体的な演出を構成するものといえる。
　また、刊行物１発明には、第１特別図柄保留ランプ２１８、第２特別図柄保留ランプ２２０、保留表示領域９１０、保留消化表示領域９１２を有しているから変動中に多くの変動制御を行う必要があるから、刊行物１発明においても停電復旧時の制御負担を軽減するという課題を内在している。
　そうすると、刊行物１発明において電断・復旧が発生した場合に、制御負担の軽減のために刊行物３記載の事項を適用し、「保留画像としてのプレート画像」（保留アイコン）だけでなく「保留消化画像としてのプレート画像」（変動アイコン）も表示されないように構成し、もって、上記相違点２に係る本願補正発明の構成とすることは、当業者が容易になし得たことである。
ウ　本願補正発明が奏する効果について
　上記相違点１、２によって本願補正発明が奏する効果は、当業者が刊行物１発明、刊行物２発明及び刊行物３記載の事項から予測し得る程度のものであって、格別のものではない。　
エ　請求人の主張について
　請求人は、審判請求書において「当該ご認定に対して、本審判の請求人は、平成２９年２月８日付け提出の手続補正書における請求項１の内容に、引用文献１〜５のいずれにも記載や示唆の無い発明特定事項（Ｗ）を追加する補正を行いました。 
　これらの発明特定事項（Ｗ）によって特定される技術思想は、「或る図柄変動表示の表示中に前記変動アイコンが表示されている状態で電断・復電が発生した場合に、該或る図柄変動表示の残りの表示中に該変動アイコンが表示されない」といった技術思想であり、本願発明特有のものです。」（第７頁第２１〜２７行）と主張する。 
　しかしながら、上記イで検討したとおり、所定の復旧条件が成立したときには、第１飾り図柄および第２飾り図柄が変動表示され、背景図柄表示領域９ａに「停電復旧中」の文字が表示されている状態となり、停電復旧後に直ちにメモリ表示領域９ｄにおいて背景図柄の保留記憶が表示されない点は、刊行物３記載の事項に記載されているから、上記発明特定事項に係る本願補正発明の構成は、当業者が刊行物１発明及び刊行物３記載の事項に基づいて容易に発明をすることができたものである。
　よって、請求人の主張は採用できない。
（６）まとめ
　以上のように、本願補正発明は、 当業者が刊行物１発明、刊行物２発明及び刊行物３記載の事項に基づいて容易に発明をすることができたものであるから、特許法第２９条第２項の規定により、特許出願の際独立して特許を受けることができない。
４　むすび
　したがって、本件補正は、特許法第１７条の２第３項の規定に違反し、仮にそうでないとしても、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１〜７に係る発明は、平成２９年２月８日付けの手続補正書により補正された特許請求の範囲の請求項１〜７に記載されたとおりのものであるところ、その請求項１に係る発明（以下「本願発明」という。）は次のとおりのものである（当審においてＡ〜Ｖに分説した。）。
「【請求項１】
Ａ　図柄変動表示を表示可能な図柄表示手段と、
Ｂ　装飾図柄変動表示を表示可能な装飾図柄表示手段と、
Ｃ　第一の保留表示手段と、
Ｄ　第二の保留表示手段と、
Ｅ　第三の保留表示手段と、
Ｆ　前記図柄表示手段の表示制御を実行可能な第一の制御手段と、
Ｇ　前記装飾図柄表示手段の表示制御を実行可能な第二の制御手段と、
Ｈ　表示手段と、
を備えた遊技台であって、
Ｉ　前記第一の制御手段は、前記第一の保留表示手段を制御可能な手段であり、
Ｊ　前記第二の制御手段は、前記第二の保留表示手段における保留表示（以下、「第二の保留表示」という。）の表示制御を実行可能な手段であり、
Ｋ　前記第二の制御手段は、前記第三の保留表示手段における保留表示（以下、「第三の保留表示」という。）の表示制御を実行可能な手段であり、
Ｌ　前記第二の保留表示手段は、前記表示手段によって構成された手段であり、
Ｍ　前記表示手段は、保留アイコンを表示可能な手段であり、
Ｎ　前記第二の保留表示とは、前記保留アイコンによる表示のことであり、
Ｏ　前記保留アイコンとは、先読み予告として表示される場合があるアイコンであり、
Ｐ　前記表示手段は、変動アイコン表示領域に変動アイコンを表示可能な手段であり、
Ｑ　前記変動アイコンとは、実行中の前記図柄変動表示における予告として表示される場合があるアイコンであり、
Ｒ　前記保留アイコンは、前記変動アイコン表示領域に移動されて前記変動アイコンとして表示される場合があるアイコンであり、
Ｓ　前記第二の保留表示手段は、前記保留アイコンの移動表示によって保留数が減少したことを演出する表示を表示可能な手段であり、
Ｔ　前記第二の保留表示手段によって報知される保留数は、前記第三の保留表示手段によって報知される保留数と同じ数であり、
Ｕ　前記第一の保留表示手段によって報知される保留数が変化した場合に、前記第二の保留表示手段によって報知される保留数も変化し、
Ｖ　前記第一の保留表示手段によって報知される保留数が変化した場合に、前記第三の保留表示手段によって報知される保留数も変化する、
ことを特徴とする遊技台。」
２　刊行物  
　刊行物２及びその記載事項、並びに刊行物２発明は、上記「第２　３（２）」に記載したとおりである。  
３　対比  
　本願発明は、本願補正発明を特定するために必要な事項である「変動アイコン」に関して、「或る図柄変動表示の表示中に前記変動アイコンが表示されている状態で電断・復電が発生した場合に、該或る図柄変動表示の残りの表示中に該変動アイコンが表示されない、」との限定を省くものである。
　本願発明と刊行物２発明とを対比する（下記の見出しの（ａ）〜（ｖ）は、刊行物２発明の構成ａ〜ｖに対応している。）。
（ａ）刊行物２発明の「第１特別図柄表示器２２１」及び「第２特別図柄表示器２２２」は、本願発明の「図柄表示手段」に相当する。
　よって、刊行物２発明の「第１始動口１２１の入賞による特別図柄を変動表示しその抽選結果を表示する第１特別図柄表示器２２１と、第２始動口１２２の入賞による特別図柄を変動表示しその抽選結果を表示する第２特別図柄表示器２２２」は、本願発明の「図柄変動表示を表示可能な図柄表示手段」に相当する。
（ｂ）刊行物２発明の「画像表示部１１４」は、本願発明の「装飾図柄表示手段」に相当する。
　よって、刊行物２発明の「図柄抽選結果を遊技者に報知するための装飾図柄を表示する画像表示部１１４」は、本願発明の「装飾図柄変動表示を表示可能な装飾図柄表示手段」に相当する。
（ｃ）刊行物２発明の「第１特別図柄表示器２２１での保留に対応して作動する第１特別図柄保留表示器２１８と、第２特別図柄表示器２２２での保留に対応して作動する第２特別図柄保留表示器２１９」は、本願発明の「第一の保留表示手段」に相当する。
（ｄ）刊行物２発明の「第１始動口１２１の入賞における未抽選分の保留数Ｕ１を表す擬似保留数表示３５１と、第１始動口１２２の入賞における未抽選分の保留数Ｕ２を表す擬似保留数表示３５２」は、本願発明の「第二の保留表示手段」に相当する。
（ｅ）刊行物２発明の「保留数Ｕ１を表す本保留数表示３６１と、保留数Ｕ２を表す本保留数表示３６２」は、本願発明の「第三の保留表示手段」に相当する。
（ｆ）刊行物２発明において「遊技制御部２００」に「第１特別図柄表示器２２１と、第２特別図柄表示器２２２と、が接続」されていれば、制御可能であることは明らかである。
　よって、刊行物２発明の「第１特別図柄表示器２２１と、第２特別図柄表示器２２２と、が接続されている遊技制御部２００」は、本願発明の「図柄表示手段の表示制御を実行可能な第一の制御手段」に相当する。
（ｇ）刊行物２発明の「演出制御部３００」は、本願発明の「第二の制御手段」に相当する。
　よって、刊行物２発明の「画像表示部１１４に表示する画像およびスピーカ１５６から出力する音響を制御する演出制御部３００」は、本願発明の「装飾図柄表示手段の表示制御を実行可能な第二の制御手段」に相当する。
（ｈ）刊行物２発明の「演出画像を表示する画像表示部１１４」は、本願発明の「表示手段」に相当する。
　また、刊行物２発明の「パチンコ遊技機１００」は、本願発明の「遊技台」に相当する。
（ｉ）刊行物２発明の「遊技制御部２００」に、「第１特別図柄保留表示器２１８と、第２特別図柄保留表示器２１９とが接続」されていれば、制御可能であることは明らかである。
　よって、刊行物２発明の「遊技制御部２００には、第１特別図柄保留表示器２１８と、第２特別図柄保留表示器２１９とが接続され」る点は、本願発明の「第一の制御手段は、第一の保留表示手段を制御可能な手段である点に相当する。
（ｊ）刊行物２発明の「擬似保留数表示３５１と、擬似保留数表示３５２の保留数表示」は、本願発明の「第二の保留表示」に相当する。
　よって、刊行物２発明の「演出制御部３００は、擬似保留数表示３５１と、擬似保留数表示３５２の保留数表示を行うものであ」る点は、本願発明の「第二の制御手段は、前記第二の保留表示の表示制御を実行可能な手段であ」る点に相当する。
（ｋ）刊行物２発明の「本保留数表示３６１と、本保留数表示３６２の保留数表示」は、本願発明の「第三の保留表示」に相当する。
　よって、刊行物２発明の「演出制御部３００は、本保留数表示３６１と、本保留数表示３６２の保留数表示を行うものであ」る点は、本願発明の「第二の制御手段は、第三の保留表示の表示制御を実行可能な手段であ」る点に相当する。
（ｌ）刊行物２発明の「画像表示部１１４の中央下部」は、本願発明の「表示手段によって構成された手段」に相当する。
　よって、刊行物２発明の「擬似保留数表示３５１と擬似保留数表示３５２は、画像表示部１１４の中央下部に表示されるものであ」る点は、本願発明の「第二の保留表示手段は、表示手段によって構成された手段であ」る点に相当する。
（ｍ）刊行物２発明の「保留表示の図形」は、本願発明の「保留アイコン」に相当する。
　よって、刊行物２発明の「画像表示部１１４は、保留表示の図形を表示してもよ」い点は、本願発明の「表示手段は、保留アイコンを表示可能な手段であ」る点に相当する。
（ｎ）刊行物２発明の「擬似保留数表示３５１と、擬似保留数表示３５２の保留数表示は、保留表示の図形の表示であ」る点は、本願発明の「第二の保留表示とは、保留アイコンによる表示のことであ」る点に相当する。
（ｏ）刊行物２発明の「抽選結果の予告演出」は、本願発明の「先読み予告」に相当する。
　よって、刊行物２発明の「保留表示の図形は、抽選結果の予告演出を行う場合があ」る点は、本願発明の「保留アイコンとは、先読み予告として表示される場合があるアイコンであ」る点に相当する。
（ｓ）刊行物２発明においては、「保留数の増減に応じて保留表示の図柄態様を変化させる」から、保留数が減少したことを演出する表示を表示可能であるといえる。また、保留数の減少に応じた保留表示の図柄態様の変化として、保留表示の図形（保留アイコン）を移動表示させることは遊技機の表示として自明な事項である。
　よって、刊行物２発明の「擬似保留数表示３５１と、擬似保留数表示３５２の保留数表示は、保留数の増減に応じて保留表示の図柄態様の変化させるものであ」る点は、本願発明の「第二の保留表示手段は、前記保留アイコンの移動表示によって保留数が減少したことを演出する表示を表示可能な手段であ」る点に相当する。
（ｔ）刊行物２発明において、「擬似保留数表示３５１内の保留表示を１増加させ、これと同期して、本保留数表示３６１の数字を１カウントアップさせ」ることは、擬似保留数表示３５１（第二の保留表示手段）と本保留数表示３６１（第三の保留表示手段）とが同じ数であることを意味するものである。また、擬似保留数表示３５２（第二の保留表示手段）と本保留数表示３６２（第三の保留表示手段）についても同様である。
　よって、刊行物２発明の「擬似保留数表示３５１、３５２の各々と本保留数表示３６１、３６２の各々とが関連していることを示す態様で変化させ、保留数Ｕ１が１増えると、擬似保留数表示３５１内の保留表示を１増加させ、これと同期して、本保留数表示３６１の数字を１カウントアップさせ、保留数Ｕ２が１増えると、擬似保留数表示３５２内の保留表示を１増加させ、これと同期して、本保留数表示３６２の数字を１カウントアップさせ」る点は、本願発明の「第二の保留表示手段によって報知される保留数は、第三の保留表示手段によって報知される保留数と同じ数であ」る点に相当する。
（ｕ）刊行物２発明において、「保留数Ｕ１の増加が第１特別図柄保留表示器２１８に通知されるとともに擬似保留数表示３５１に対応する保留数の値を１加算」することは、
第１特別図柄保留表示器２１８（第一の保留表示手段）の保留数が変化したときに、擬似保留数表示３５１（第二の保留表示手段）の保留数も変化することを意味するものである。
　よって、刊行物２発明の「保留数Ｕ１の増加が第１特別図柄保留表示器２１８に通知されるとともに擬似保留数表示３５１に対応する保留数の値を１加算し、保留数Ｕ２の増加が第２特別図柄保留表示器２１９に通知されるとともに擬似保留数表示３５２に対応する保留数の値を１加算」する点は、本願発明の「第一の保留表示手段によって報知される保留数が変化した場合に、第二の保留表示手段によって報知される保留数も変化」する点に相当する。
（ｖ）刊行物２発明において「保留数Ｕ１の増加が第１特別図柄保留表示器２１８に通知されるとともに本保留数表示３６１に対応する保留数の値を１加算」することは、第１特別図柄保留表示器２１８（第一の保留表示手段）の保留数が変化したときに本保留数表示３６１（第三の保留表示手段）の保留数も変化することを意味するものである。
　よって、刊行物２発明の「保留数Ｕ１の増加が第１特別図柄保留表示器２１８に通知されるとともに本保留数表示３６１に対応する保留数の値を１加算し、保留数Ｕ２の増加が第２特別図柄保留表示器２１９に通知されるとともに本保留数表示３６２に対応する保留数の値を１加算する」点は、本願発明の「第一の保留表示手段によって報知される保留数が変化した場合に、第三の保留表示手段によって報知される保留数も変化」する点に相当する。
　したがって、本願発明と刊行物２発明とは、
「Ａ　図柄変動表示を表示可能な図柄表示手段と、
Ｂ　装飾図柄変動表示を表示可能な装飾図柄表示手段と、
Ｃ　第一の保留表示手段と、
Ｄ　第二の保留表示手段と、
Ｅ　第三の保留表示手段と、
Ｆ　前記図柄表示手段の表示制御を実行可能な第一の制御手段と、
Ｇ　前記装飾図柄表示手段の表示制御を実行可能な第二の制御手段と、
Ｈ　表示手段と、
を備えた遊技台であって、
Ｉ　前記第一の制御手段は、前記第一の保留表示手段を制御可能な手段であり、
Ｊ　前記第二の制御手段は、前記第二の保留表示の表示制御を実行可能な手段であり、
Ｋ　前記第二の制御手段は、前記第三の保留表示の表示制御を実行可能な手段であり、
Ｌ　前記第二の保留表示手段は、前記表示手段によって構成された手段であり、
Ｍ　前記表示手段は、保留アイコンを表示可能な手段であり、
Ｎ　前記第二の保留表示とは、前記保留アイコンによる表示のことであり、
Ｏ　前記保留アイコンとは、先読み予告として表示される場合があるアイコンであり、
Ｓ　前記第二の保留表示手段は、前記保留アイコンの移動表示によって保留数が減少したことを演出する表示を表示可能な手段であり、
Ｔ　前記第二の保留表示手段によって報知される保留数は、前記第三の保留表示手段によって報知される保留数と同じ数であり、
Ｕ　前記第一の保留表示手段によって報知される保留数が変化した場合に、前記第二の保留表示手段によって報知される保留数も変化し、
Ｖ　前記第一の保留表示手段によって報知される保留数が変化した場合に、前記第三の保留表示手段によって報知される保留数も変化する、
ことを特徴とする遊技台。」
である点で一致し、以下の点で相違する。
［相違点１’］
　本願発明は、「前記表示手段は、変動アイコン表示領域に変動アイコンを表示可能な手段であり」、「前記変動アイコンとは、実行中の前記図柄変動表示における予告として表示される場合があるアイコンであり」、「前記保留アイコンは、前記変動アイコン表示領域に移動されて前記変動アイコンとして表示される場合があるアイコンであ」るのに対し、刊行物２発明は、そのような構成を有していない点（構成Ｐ、Ｑ、Ｒ）。
４　判断
　上記相違点１’について検討する。
　遊技機の技術分野において、変動アイコン表示領域に、実行中の図柄変動表示における予告として表示される変動アイコンを表示するとともに、保留アイコンが変動アイコン表示領域に移動されて変動アイコンとして表示される遊技機は、本願の出願遡及日前において、周知の技術である（例えば、特開２００４−３２１６２６号公報の段落【００２２】〜【００２５】、【０１４９】〜【０１５３】、図２３の始動記憶表示エリア１８から変動中始動記憶表示エリア１９に始動入賞表示がシフトして表示され、変動中始動記憶表示エリア１９に「星」の特別始動入賞表示が表示されているときは、特別演出パターンに基づく特別な演出態様が実行される可能性が高い点、特開２００４−３２９２２６号公報の段落【００７１】〜【００８７】、図１２の所定時間が経過すると特別図柄始動記憶表示４６の表示が、現在の可変表示に対応する可変表示中始動記憶表示部４７として表示され、可変表示中始動記憶表示部４７において「手榴弾予告」の態様で表示されると大当りとなる点、刊行物１発明の構成ｐ、ｑ、ｒを参照のこと。）。
　よって、刊行物２発明に周知の技術を適用し、上記相違点１’に係る本願発明の構成とすることは、当業者が容易になし得たことである。
　そして、上記相違点１’によって本願発明が奏する効果は、当業者が刊行物１発明及び周知の技術から予測し得る程度のものであって、格別のものではない。　
５　むすび  
　以上のとおりであるから、本願発明は、特許法第２９条第２項の規定により特許を受けることができない。  
　したがって、他の請求項について検討するまでもなく、本願は、拒絶されるべきものである。  
　よって、結論のとおり審決する。